(57)【要約】      （修正有）【課題】人工知能の応用例に関する動画像を共有することができるシステム、方法及びプログラムを提供する。【解決手段】人工知能関連動画像共有システムにおいてポータルサイトは、ユーザにより生成された人工知能アルゴリズムの利用例に関する動画像を受信し、受信した動画像を記憶し、記憶した動画像を所定の動画像リストとしてユーザへと提示し、所定の再生リクエストに応じて、記憶部に記憶された動画像を再生処理する処理。【選択図】図３
2020061102.tif 000002
【特許請求の範囲】
【請求項１】
ユーザにより生成された人工知能アルゴリズムの利用例に関する動画像を受信する動画像受信部と、
前記動画像受信部にて受信された前記動画像を記憶する記憶部と、
前記記憶部へと記憶された前記動画像を所定の動画像リストとしてユーザへと提示する動画像リスト提示部と、
所定の再生リクエストに応じて、前記記憶部に記憶された前記動画像を再生処理する、再生処理部と、を備えた人工知能関連動画像共有システム。
【請求項２】
前記人工知能関連動画像再生システムは、さらに、
前記動画像受信部にて受信した動画像に対して所定の透かし処理を施して透かし入り動画像を生成する透かし入り動画像生成部を含み、
前記記憶部はさらに前記透かし入り動画像を記憶する、請求項１に記載の人工知能関連動画像共有システム。
【請求項３】
前記人工知能関連動画像共有システムは、さらに、
ユーザからの動画像の内容に関するリクエスト情報を受信するリクエスト情報受信部と、
他のユーザから前記リクエスト情報に応じて動画像製作を受諾する意思表示に関する情報を受信する意思表示情報受信部と、を備える請求項１に記載の人工知能動画像共有システム。
【請求項４】
前記人工知能関連動画像再生システムは、さらに、
動画像の内容に関する前記リクエスト情報を提供した前記ユーザから前記動画像製作を受諾する意思表示を行った前記ユーザに対して所定の対価の移転処理を行う対価移転処理部を備える、請求項３に記載の人工知能動画像共有システム。
【請求項５】
前記人工知能関連動画像再生システムは、さらに、
ユーザからの製作可能な動画像に関する情報である製作可能動画像情報を受信する製作可能動画像情報受信部と、
他のユーザから、前記製作可能動画像に関して動作製作依頼を行うことに関する依頼情報を受信する依頼情報受信部と、を備える請求項１に記載の人工知能動画像共有システム。
【請求項６】
前記人工知能関連動画像再生システムは、さらに、
前記動画像製作依頼を行った前記ユーザから前記製作可能動画像情報を提供した前記ユーザに対して所定の対価の移転処理を行う対価移転処理部を備える、請求項５に記載の人工知能動画像共有システム。
【請求項７】
前記所定の対価の移転処理は、暗号通貨を用いて行われる、請求項４又は請求項６に記載の人工知能動画像共有システム。
【請求項８】
前記動画像には、前記人工知能アルゴリズムの動作状態と、前記人工知能アルゴリズムの出力に基づく前記対象の制御結果と、が含まれる請求項１に記載の人工知能関連動画像共有システム。
【請求項９】
前記記憶部は、さらに、
前記動画像に含まれる前記人工知能アルゴリズムの種別に関する情報であるアルゴリズム種別情報を記憶する、請求項１に記載の人工知能関連動画像共有システム。
【請求項１０】
前記動画像リスト提示部は、さらに、
前記アルゴリズム種別情報に基づいて前記所定の動画像リストを提示する、請求項９に記載の人工知能関連動画像共有システム。
【請求項１１】
前記動画像は、人工知能アルゴリズムを用いてビデオゲーム中の所定の対象を制御するものである、請求項１に記載の人工知能関連動画像共有システム。
【請求項１２】
ユーザにより生成された人工知能アルゴリズムの利用例に関する動画像を受信する動画像受信ステップと、
前記動画像受信部にて受信された前記動画像を記憶する記憶ステップと、
前記記憶部へと記憶された前記動画像を所定の動画像リストとしてユーザへと提示する動画像リスト提示ステップと、
所定の再生リクエストに応じて、前記記憶部に記憶された前記動画像を再生処理する、再生処理ステップと、を備えた人工知能関連動画像共有方法。
【請求項１３】
コンピュータを、
ユーザにより生成された人工知能アルゴリズムの利用例に関する動画像を受信する動画像受信部と、
前記動画像受信部にて受信された前記動画像を記憶する記憶部と、
前記記憶部へと記憶された前記動画像を所定の動画像リストとしてユーザへと提示する動画像リスト提示部と、
所定の再生リクエストに応じて、前記記憶部に記憶された前記動画像を再生処理する、再生処理部と、を備えた人工知能関連動画像提供装置として機能させる人工知能関連動画像共有プログラム。
【発明の詳細な説明】
【技術分野】
【０００１】
この発明は、動画像を共有するためのシステム、方法及びプログラム等に関する。
【背景技術】
【０００２】
近年、機械学習技術を含む人工知能（ＡＩ）が注目されている。人工知能は、それまで人間が経験的に行っていた様々な作業を代替し得るものであり、様々な対象への応用が期待されている。例えば、特許文献１には、ワークの取り出し動作を学習する機械学習装置が開示されている。
【先行技術文献】
【特許文献】
【０００３】
【特許文献１】特開２０１７−０６４９１０号公報
【発明の概要】
【発明が解決しようとする課題】
【０００４】
しかしながら、人工知能の様々な応用が期待されているものの、未だ広く普及しているものとは言い難い。その普及を妨げている一因は、十分な量の人工知能の応用例が、その技術の専門家ではない者にも分かるような態様で提示されておらず、その結果、人工知能の適用場面が想定しにくいことにある。
【０００５】
本発明は、上述の技術的背景の下になされたものであり、その目的とすることころは、人工知能の応用例に関する動画像を共有することができるシステム等を提供することにある。
【０００６】
本発明のさらに他の目的並びに作用効果については、明細書の以下の記述を参照することにより、当業者であれば容易に理解されるであろう。
【課題を解決するための手段】
【０００７】
上述の技術的課題は、以下の構成を有する人工知能関連動画像共有システム、方法、プログラムにより解決することができる。
【０００８】
すなわち、本発明に係る人工知能関連動画像共有システムは、ユーザにより生成された人工知能アルゴリズムの利用例に関する動画像を受信する動画像受信部と、前記動画像受信部にて受信された前記動画像を記憶する記憶部と、前記記憶部へと記憶された前記動画像を所定の動画像リストとしてユーザへと提示する動画像リスト提示部と、所定の再生リクエストに応じて、前記記憶部に記憶された前記動画像を再生処理する、再生処理部と、を備えている。
【０００９】
このような構成によれば、人工知能の応用例に関する動画像を共有することができるシステムを提供することができ、それにより、十分な量の人工知能の応用例が共有することができる。また、各動画像を生成する者が切磋琢磨することにより、人工知能関連動画像の質が洗練されていくことが期待され、それにより、例えば、その技術の専門家ではない者にも分かるような分かり易い動画像などが提供されていくこととなる。
【００１０】
前記人工知能関連動画像再生システムは、さらに、前記動画像受信部にて受信した動画像に対して所定の透かし処理を施して透かし入り動画像を生成する透かし入り動画像生成部を含み、前記記憶部はさらに前記透かし入り動画像を記憶する、ものであってもよい。
【００１１】
このような構成によれば、動画像へと透かし処理を施すことで、人工知能関連動画像共有システムへとアップロードされた動画像の他の動画像共有サービスなどへの勝手なアップロードへの抑止効果を期待することができる。また、システム管理者等が透かし入り動画像を他の動画像共有サービス等へと積極的に転載した場合であっても、どのシステムでアップロードされた動画像かを一目で確認させることができ、人工知能関連動画像共有システムに関する宣伝効果も期待することができる。
【００１２】
前記人工知能関連動画像共有システムは、さらに、ユーザからの動画像の内容に関するリクエスト情報を受信するリクエスト情報受信部と、他のユーザから前記リクエスト情報に応じて動画像製作を受諾する意思表示に関する情報を受信する意思表示情報受信部と、を備えるものであってもよい。
【００１３】
このような構成によれば、ユーザ間のインタラクションを通じて、動画像内容を洗練させることができる。
【００１４】
前記人工知能関連動画像再生システムは、さらに、動画像の内容に関する前記リクエスト情報を提供した前記ユーザから前記動画像製作を受諾する意思表示を行った前記ユーザに対して所定の対価の移転処理を行う対価移転処理部を備える、ものであってもよい。
【００１５】
このような構成によれば、対価の移転を伴う一種の報酬システムを通じて、システムを活性化させ、また、動画像内容をより洗練させることができる。
【００１６】
前記人工知能関連動画像再生システムは、さらに、ユーザからの製作可能な動画像に関する情報である製作可能動画像情報を受信する製作可能動画像情報受信部と、他のユーザから、前記製作可能動画像に関して動作製作依頼を行うことに関する依頼情報を受信する依頼情報受信部と、を備えるものであってもよい。
【００１７】
このような構成によれば、ユーザ間のインタラクションを通じて、動画像内容を洗練させることができる。
【００１８】
前記人工知能関連動画像再生システムは、さらに、前記動画像製作依頼を行った前記ユーザから前記製作可能動画像情報を提供した前記ユーザに対して所定の対価の移転処理を行う対価移転処理部を備える、ものであってもよい。
【００１９】
このような構成によれば、対価の移転を伴う一種の報酬システムを通じて、システムを活性化させ、また、動画像内容をより洗練させることができる。
【００２０】
前記所定の対価の移転処理は、暗号通貨を用いて行われる、ものであってもよい。
【００２１】
このような構成によれば、取引履歴を信頼性の高い分散台帳を通じて管理することができる暗号通貨を用いて行うので、確かな価値の移転を実現することができる。
【００２２】
前記動画像には、前記人工知能アルゴリズムの動作状態と、前記人工知能アルゴリズムの出力に基づく前記対象の制御結果と、が含まれるものであってもよい。
【００２３】
このような構成によれば、動画像内に人工知能アルゴリズムのアクティベーション状態と、制御結果が同時に表示されるので、人工知能アルゴリズムの内容をより感覚的に分かり易く提示することができる。
【００２４】
前記記憶部は、さらに、前記動画像に含まれる前記人工知能アルゴリズムの種別に関する情報であるアルゴリズム種別情報を記憶する、ものであってもよい。
【００２５】
このような構成によれば、動画像は動画像に含まれる人工知能アルゴリズムの種別毎に管理されるので、例えば、システムのユーザへと種別毎に動画像を検索・閲覧させること等ができる。
【００２６】
前記動画像リスト提示部は、さらに、前記アルゴリズム種別情報に基づいて前記所定の動画像リストを提示する、ものであってもよい。
【００２７】
このような構成によれば、動画像はその動画像に含まれる人工知能アルゴリズムの種別毎に管理されるので、システムのユーザは自身の興味・関心に応じて動画像を検索・閲覧することができる。
【００２８】
前記動画像は、人工知能アルゴリズムを用いてビデオゲーム中の所定の対象を制御するものである、ものであってもよい。
【００２９】
このような構成によれば、動画像中で使用される人工知能アルゴリズムが親しみやすいビデオゲームの制御と対応付いていることから、人工知能アルゴリズムの性能や性質についてより感覚的に理解することができる。
【００３０】
また、本発明は方法としても観念することができる。すなわち、本発明に係る人工知能関連動画像共有方法は、ユーザにより生成された人工知能アルゴリズムの利用例に関する動画像を受信する動画像受信ステップと、前記動画像受信部にて受信された前記動画像を記憶する記憶ステップと、前記記憶部へと記憶された前記動画像を所定の動画像リストとしてユーザへと提示する動画像リスト提示ステップと、所定の再生リクエストに応じて、前記記憶部に記憶された前記動画像を再生処理する、再生処理ステップと、を備えるものである。
【００３１】
さらに、本発明はコンピュータプログラムとしても観念することができる。すなわち、本発明に係る人工知能関連動画像共有プログラムは、コンピュータを、ユーザにより生成された人工知能アルゴリズムの利用例に関する動画像を受信する動画像受信部と、前記動画像受信部にて受信された前記動画像を記憶する記憶部と、前記記憶部へと記憶された前記動画像を所定の動画像リストとしてユーザへと提示する動画像リスト提示部と、所定の再生リクエストに応じて、前記記憶部に記憶された前記動画像を再生処理する、再生処理部と、を備えた人工知能関連動画像提供装置として機能させるものである。
【発明の効果】
【００３２】
本発明によれば、人工知能の応用例に関する動画像を共有することができるシステムを提供することができ、それにより、十分な量の人工知能の応用例を共有することができる。
【図面の簡単な説明】
【００３３】
【図１】図１は、システムの全体構成図である。
【図２】図２は、サーバ装置の概略構成図である。
【図３】図３は、ポータルサイトの動作フローチャートである。
【図４】図４は、動画像アップロードの概念図である。
【図５】図５は、動画像リストに関する画面図である。
【図６】図６は、動画像再生の画面図である。
【図７】図７は、アイディア一覧提示モードに関する画面図である。
【図８】図８は、動画像作成依頼一覧提示モードに関する画面図である。
【発明を実施するための形態】
【００３４】
以下、本発明に係る人工知能関連動画像共有システム、方法、プログラムの実施の一形態を、添付の図面を参照しつつ、詳細に説明する。
【００３５】
＜１．第１の実施形態＞
＜１．１  システムの構成＞
図１は、本実施形態に係るシステム１０の全体構成図である。同図から明らかな通り、システム１０は、サーバ装置１と、サーバ装置１とインターネット等の所定のネットワークを介して接続されたクライアント装置２と、サーバ装置１とインターネット等の所定のネットワークを介して接続されたＰ２Ｐ（Ｐｅｅｒ  ｔｏ  Ｐｅｅｒ）ネットワーク３０とから構成されている。Ｐ２Ｐネットワーク３０は、互いにインターネット等の所定のネットワークを介して相互的に接続されたＰＣ等の複数の情報処理装置３から構成されている。後述するように、このＰ２Ｐネットワーク３０上では、分散台帳が管理・記憶されている。
【００３６】
図２は、サーバ装置１の概略構成図である。同図から明らかな通り、サーバ装置１の内部には、プログラムの実行処理を行う制御部１１、データを一時的又は非一時的に記憶する記憶部１２、外部装置との間の通信処理を行う通信部１３、スピーカ等を介して音声出力処理を行う音声出力部１５、ディスプレイ等を介して画像表示処理を行う表示出力部１６、及び接続された外部装置との入出力処理を行うためのＩ／Ｏ部１７とを備えている。制御部１１は、例えばＣＰＵ等の各種プログラム等を実行する演算装置である。記憶部１２は、例えば、ＲＯＭやＲＡＭ、ハードディスク、フラッシュメモリ等の各種メモリである。記憶部１２は、システム１０のユーザのアカウント情報等の識別情報や暗号通貨のウォレットアドレスの他、後述の各種の動画像データ及びその関連情報、アイディア情報、動画作成依頼情報などを記憶する。通信部１３は、所定の通信プロトコルで有線又は無線で外部装置との通信を行うための通信ユニットである。クライアント装置２、及びＰ２Ｐネットワーク３０を構成する情報処理装置３も略同一の構成であるので、ここでは説明を省略する。
【００３７】
なお、システム１０の構成、それを構成する各装置の構成は、本実施形態に示すものに限定されない。従って、例えば、既知の知見に基づき、ネットワーク構成を他の構成に変更してもよいし、各装置の構成を変更してもよい。また、複数の装置の構成や機能をまとめて統合したり、単一の装置の構成や機能を分割・分散させたり、又は、各種の機能を拡張するなどしてもよい。
【００３８】
＜１．２  システムの動作＞
図３は、人工知能関連動画の共有のためのポータルサイトを提供するサーバ装置１の動作フローチャートである。なお、同フローチャートの前提として、クライアント装置２は、サーバ装置１へとインターネット等を介してアクセスしており、ポータルサイトの初期画面がユーザへとクライアント装置２を介して提供されている。同図から明らかな通り、処理が開始すると、サーバ装置１は、当該クライアント装置２に対して、当該クライアント装置２からのモード選択信号を受け付ける処理を行う（Ｓ１０）。本実施形態においては、選択可能なモードとして、ユーザが動画像をアップロードするための「アップロード」モード、サーバ装置１に記憶されている動画像をユーザに対して再生するための「動画再生」モード、動画像作成者が動画像に関するアイディアを提示してそれへのユーザからの依頼を募る「アイディア一覧提示」モード、ユーザが作成してもらいたい動画像の概要を提示してそれへの受諾を募る「動画作成依頼一覧提示」モードが存在する。
【００３９】
＜１．２．１  「アップロード」モード＞
図３において、ユーザにより「アップロード」モードが選択されると、サーバ装置１は、動画像及びその関連情報の受信を待機する所定の待機処理へと移行する（Ｓ１１ＮＯ）。その後、ユーザよりクライアント装置２を介して動画像及びその関連情報がアップロードされ、それによりサーバ装置１が動画像及びその関連情報を受信すると（Ｓ１１ＹＥＳ）、受信した動画像とその関連情報を記憶部１２へと記憶する処理が行われる（Ｓ１２）。動画像の関連情報とは、例えば、当該動画像中で用いられているアルゴリズムの種別に関する情報、アップロードを行った者の識別情報、動画像の長さ、容量又は圧縮形式等の動画像の性質情報、アップロードを行った者による動画像に関する説明情報等を含むものである。
【００４０】
図４は、人工知能を含む動画像をクライアント装置２からサーバ装置１へとアップロードすることについて説明する概念図である。同図から明らかな通り、同図下部に示したクライアント装置２から同図上部に示したサーバ装置１へと動画像及びその関連情報のアップロード処理が行われている。
【００４１】
同図において、アップロードされている動画像５０は、ゲーム動作画面と、ゲーム動作を制御する人工知能アルゴリズムの動作状態について示すアルゴリズム表示部５４とから構成されている。ゲーム動作画面は、スライドバー５１を操作してボール５２を跳ね返して所定のブロック群５３を崩していく、所謂ブロック崩しゲームに係るものである。一方、アルゴリズム表示部５４には、本実施形態においてはニューラルネットワークのニューロンと重みとの関係を模式化した図が表示され、各ニューロンはその活性化状態に応じてハイライトの度合いが変化するように示されている。このとき、同ニューラルネットワークの入力はスライドバーの位置情報と対応付けられており、出力は、ブロック崩しのスライドバー５１の移動制御指令に対応付けられている。そのため、ニューラルネットワークの各ニューロンの活性化状態及び入出力と、その時のブロック崩しゲームとの対応関係が同一画面上で確認されることになる。
【００４２】
このような構成によれば、動画像中で使用される人工知能アルゴリズムが親しみやすいビデオゲームの制御と対応付いていることから、人工知能アルゴリズムの性能や性質についてより感覚的に理解することができる。
【００４３】
図３に戻り、記憶処理（Ｓ１２）が終了すると、その後、動画像に対して、動画像の視認性を大きく妨げない程度に背景が透視可能な所定の文字（透かし文字）を付加する処理が行われる。この透かし文字は、後述するように、本システム１０においては、「ＡＩ動画シェア」の文字である。この透かし文字を付加する処理を施した後、当該動画像を再度記憶部１２へと記憶する処理が行われる（Ｓ１３）。その後、「アップロード」モードは終了する。なお、本実施形態では透かし文字を使用することとしたが、動画像の視認性を大きく妨げない程度に背景が透視可能な所定の図形であってもよく、又は図形と文字との組合せであってもよい。
【００４４】
このような構成によれば、動画像へと透かし処理を施すことで、システム１へとアップロードされた動画像の他の動画共有サービスなどへの勝手なアップロードへの抑止効果を期待することができる。また、システム管理者等が透かし入り動画像を他の動画共有サービス等へと積極的に転載した場合であっても、どのシステムでアップロードされた動画像かを一目で確認させることができ、人工知能関連動画共有システムに関する宣伝効果も期待することができる。
【００４５】
＜１．２．２  「動画再生」モード＞
図３において、ユーザにより「動画再生」モードが選択されると、サーバ装置１は、動画像のリストを提示する処理へと移行する（Ｓ２１）。
【００４６】
図５は、提示される動画リストに関する画面図である。提示画面６０は、最上部に「ＡＩ動画シェアシステム」というシステム名を表示するシステム名表示部６３が配置されている。また、その直下には、アルゴリズム別に表示される動画像リストを選択するためのタブであって、特に「ニューラルネットワーク」関連動画を表示するための第１のタブ６１、及び「サポートベクターマシン」関連動画を表示するための第２のタブ６２が表示されている。同図においては、第１のタブ６１がアクティブな状態とされており、記憶部１２へと記憶されている動画像関連情報に基づいて、「ニューラルネットワーク」に関連する動画のみが表示されている。具体的には、第１のタブ６１及び第２のタブ６２の下側には、縦一列に動画像の代表画像（６４、６６）が表示されると共に、各動画像に関連付けられて記憶されている詳細情報を表示する詳細情報表示部（６５、６７）が各画像の右隣りに配置されている。
【００４７】
なお、詳細情報表示部（６５、６７）に表示される詳細情報には、動画像のアップロード日時、動画像作成者の名前、動画像の再生時間が表示されている。また、各動画像の代表画像（６４、６６）には「ＡＩ動画シェア」という透かし文字（６４１、６６１）が表示されている。さらに、最上段の代表画像６４に係る動画像は、ブロック崩しをニューラルネットワークを用いて制御する動画像である。また、その下の代表画像６６に係る動画像は、レーシングゲームをニューラルネットワークを用いて制御する動画像である。
【００４８】
同図においては、第１のタブ６１を選択することにより、「ニューラルネットワーク」に係る動画像のみをユーザは簡単に検索することができる。このような構成によれば、動画像が動画像に含まれる人工知能アルゴリズムの種別毎に管理されているので、システム１のユーザは自身の興味・関心に応じて動画像を検索・閲覧することができる。
【００４９】
図３に戻り、動画リスト提示処理（Ｓ２１）が終了すると、続いて、いずれかの動画像が選択されるまで所定の待機状態へと移行する（Ｓ２２ＮＯ）。この待機状態において、図５の代表画像（６４、６６）に相当する領域がユーザにより選択されると待機状態を脱して（Ｓ２２ＹＥＳ）、代表画像に対応する動画像を読み出し、動画像再生画面へと移行してユーザへと再生・提示する処理が行われる（Ｓ２３）。この処理の後、「動画再生」モードは終了する。
【００５０】
図６は、動画像再生に係る画面図である。動画像再生画面８０は、画面中央部に動画像再生領域８２を有し、その上部には、動画像に係る人工知能アルゴリズムの名称（本実施形態においては、「ニューラルネットワーク」）を表示するアルゴリズム名称表示領域８１、その右隣りには、各動画像に関連付けられて記憶されている詳細情報を表示する詳細情報表示部８３、その下部には、アップロードの際に動画像関連情報として送信された動画説明情報等を表示して動画像を説明する動画像説明領域８４が配置されている。
【００５１】
同図において、動画像再生領域８２は、ゲーム動作画面と、ゲーム動作を制御する人工知能アルゴリズムの動作状態について示すアルゴリズム表示部８２７とから構成されている。ゲーム動作画面は、スライドバー８２４を操作してボール８２５を跳ね返して所定のブロック群８２６を崩していく、所謂ブロック崩しゲームに係るものである。一方、アルゴリズム表示部８２７には、本実施形態においてはニューラルネットワークのニューロンと重みとの関係を模式化した図が表示され、各ニューロンはその活性化状態に応じてハイライトの度合いが変化するように示されている。このとき、同ニューラルネットワークの入力はスライドバーの位置情報と対応付けられており、出力は、ブロック崩しのスライドバー８２４の移動制御指令に対応付けられている。そのため、ニューラルネットワークの各ニューロンの活性化状態及び入出力と、その時のブロック崩しゲームとの対応関係が同一画面上で確認されることになる。また、動画像の最下部には、再生時間表示バー８２１と、再生位置表示ポインタ８２２及び再生時間表示部８２３とが配置されており、現在の再生時間及び現在の再生位置が表示されている。
【００５２】
同図において、詳細応報表示部８３には、アップロード日時、動画像作成者、及び総再生時間が表示されている。また、動画像説明領域８４は、動画像をアップロードする際に記入された動画の説明が表示されている。
【００５３】
このような構成によれば、人工知能の応用例に関する動画像を共有することができるシステムを提供することができ、それにより、十分な量の人工知能の応用例が共有することができる。また、各動画像を生成する者が切磋琢磨することにより、人工知能関連動画像の質が洗練されていくことが期待され、それにより、例えば、その技術の専門家ではない者にも分かるような分かり易い動画像などが提供されていくこととなる。
【００５４】
＜１．２．３  「アイディア一覧提示」モード＞
図３において、ユーザにより「アイディア一覧提示」モードが選択されると、サーバ装置１は、アイディア一覧を提示する処理へと行い（Ｓ４１）、その後、待機状態へと移行する（Ｓ４２ＮＯ）。
【００５５】
図７は、アイディア一覧提示モードを選択することによりユーザへと提示される画面図である。アイディア一覧提示画面９０には、最上段に「動画アイディア一覧」という文字が表示されるモード名表示領域９１が表示されている。モード名表示領域９１の下には、アイディア内容表示領域９２とそれと対応して設けられた依頼ボタン９３とが対となって順に表示されている（９２ａ〜９２ｃ、９３ａ〜９３ｃ）。アイディア内容表示領域９２に表示されるアイディアとは、所定の人工知能アルゴリズムを用いて所定の対象を制御した様子について動画作成することができるとの見込み又は既にそのような動画像を有していることを説明するものである。例えば、アイディアの最上段には「Ｘの条件下で、ニューラルネットワークを用いてレースゲームのクリア動画を作ることができます」というアイディア内容が説明されている。それらのアイディアに対して、他のユーザがそのような動画像を見ることを希望する場合、対応する依頼ボタン９３を選択することにより、当該ユーザはアイディア提案者に対して発注を行うことができる。なお、アイディア内容表示領域９２に提示されている各アイディアは、図示しないアイディア入力画面において、動画作成者らによりアカウント情報等と対応付けて入力されたものである。
【００５６】
図３に戻り、待機状態にあったサーバ装置１は、依頼ボタン９３の選択を検出すると（Ｓ４２ＹＥＳ）、動画像の提供処理を行う（Ｓ４３）。この動画像の提供処理は、アイディア提案者からの動画像提供処理を受けて依頼者へと動画像を閲覧可能な状態とするものである。この閲覧可能な状態には、例えば、動画像のダウンロード又はストリーミング配信などが含まれるものである。
【００５７】
この動画像提供処理（Ｓ４３）が完了すると、その完了を受けて所謂スマートコントラクトの技術を用いて、依頼者から動画像提供者に対して所定の暗号通貨の移転処理が行われる。このとき、暗号通貨の移転に関する情報は、Ｐ２Ｐネットワーク３０上の分散台帳へと記録される。
【００５８】
このような構成によれば、取引履歴を信頼性の高い分散台帳を通じて管理することができる暗号通貨を用いて行うことができるので、確かな価値の移転を実現することができる。また、一種の報酬の存在により、システム１自体の活性化も期待される。
【００５９】
＜１．２．４  「動画像作成依頼一覧提示」モード＞
図３において、ユーザにより「動画像作成依頼一覧提示」モードが選択されると、サーバ装置１は、動画像作成依頼一覧を提示する処理（Ｓ５１）を行い、その後、所定の待機状態へと移行する（Ｓ５２ＮＯ）。
【００６０】
図８は、動画像作成依頼一覧提示モードを選択することによりユーザへと提示される画面図である。動画像作成依頼一覧提示画面１００は、最上段に「動画作成依頼一覧」という文字が表示されるモード名表示領域１０１が表示されている。モード名表示領域１０１の下には、依頼内容表示領域１０２とそれと対応して設けられた受諾ボタン１０３とが対となって順に表示されている（１０２ａ〜１０２ｃ、１０３ａ〜１０３ｃ）。依頼内容表示領域１０２に表示される依頼内容とは、人工知能アルゴリズムを用いて制御して欲しい対象等に関する情報となる。例えば、依頼内容の最上段には「Ｘという格闘ゲームをクリアするＡＩ動画が見てみたい」という記載がある。それらの依頼内容に対して、動画製作を行う他のユーザがその内容に合致した動画の作成を受諾する場合、対応する受諾ボタン１０３を選択することにより、依頼者である当該ユーザは受諾者であるユーザに対して発注を行うことができる。なお、依頼内容内容表示領域１０２に提示されている各内容は、図示しない依頼者用入力画面において、ユーザらによりアカウント情報と対応付けて入力されたものである。
【００６１】
図３に戻り、待機状態にあったサーバ装置１は、受諾ボタン１０３の選択を検出すると（Ｓ５２ＹＥＳ）、依頼動画像の納品処理を行う（Ｓ５３）。この動画像の納品処理は、動画の作成を受諾したユーザから動画の依頼者へと動画像を閲覧可能な状態とするものである。この閲覧可能な状態には、例えば、動画像のダウンロード又はストリーミング配信などが含まれるものである。
【００６２】
この依頼動画納品処理（Ｓ５３）が完了すると、その完了を受けて所謂スマートコントラクトの技術を用いて、依頼者から動画像提供者に対して所定の暗号通貨の移転処理が行われる。このとき、暗号通貨の移転に関する情報は、Ｐ２Ｐネットワーク３０上の分散台帳へと記録される。
【００６３】
このような構成によれば、取引履歴を信頼性の高い分散台帳を通じて管理することができる暗号通貨を用いて行うことができるので、確かな価値の移転を実現することができる。また、一種の報酬の存在により、システム１自体の活性化も期待される。
【産業上の利用可能性】
【００６４】
本発明は、動画像共有システムに関連するすべての産業において利用可能である。
【符号の説明】
【００６５】
１    サーバ装置
１０    システム
１１    制御部
１２    記憶部
１３    通信部
１５    音声出力部
１６    表示出力部
１７    Ｉ／Ｏ部
２    クライアント装置
３    情報処理装置
３０    Ｐ２Ｐネットワーク
５０    動画像
５１    スライドバー
５２    ボール
５３    ブロック群
５４    アルゴリズム表示部
６０    提示画面
６１    第１のタブ
６２    第２のタブ
６４    代表画像
６４１    透かし文字
６５    詳細情報表示部
６６    代表画像
６６１    透かし文字
６７    詳細情報表示部
８０    動画像再生画面
８１    アルゴリズム名称表示領域
８２    動画像再生領域
８３    詳細情報表示部
８４    動画像説明領域
９０    アイディア一覧提示画面
９１    モード名表示領域
９２    アイディア内容表示領域
９３    依頼ボタン
１００    動画像作成依頼一覧提示画面
１０１    モード名表示領域
１０２    依頼内容表示領域
１０３    受諾ボタン
【図１】
2020061102.tif 000003
【図２】
2020061102.tif 000004
【図３】
2020061102.tif 000005
【図４】
2020061102.tif 000006
【図５】
2020061102.tif 000007
【図６】
2020061102.tif 000008
【図７】
2020061102.tif 000009
【図８】
2020061102.tif 000010